(57)【特許請求の範囲】
【請求項１】
可撓性を有し、かつ適当な厚みを備えた素材シートより成り、被固定体は両サイドに太くなっており、中間部に狭隘箇所を有する形状のものであって、直線、曲線、又はそれらの組み合わせによって形成した誘導溝（２）をシートに二箇所設け、該二箇所それぞれが間隔を以て向かい合う先端箇所に、被固定体狭隘箇所（５）を固定するに足る幅の切り込みを直線、曲線、又はそれらの組み合わせによって形成した固定帯切り込み（３）の二箇所の先端をそれぞれ連接させ、被固定体の片側太い部分より誘導溝（２）に挿入、迂回させ、被固定体狭隘箇所（５）を固定帯（１）に導き入れることを特徴とする物品固定用台紙の構造。
【発明の詳細な説明】
【０００１】
【発明の属する技術分野】
本発明は、商品等として供給する物品の包装形態に関するもので、薄手の物品を台紙に固定させる手段として、それぞれの物品の固定箇所サイズに合わせて行う台紙に切り込みを設けての物品固定用台紙に関するものである。
【０００２】
【従来の技術】
従来、１ｍｍ程度、もしくはそれ以下の厚みによる薄手物品を台紙上に固定させる手段として、台紙に切り込みを設けての固定方法は被固定体の形状により制約を受け、被固定体の中間部における周囲より狭隘な箇所への固定を必要とした場合は不可能であった。
【０００３】
従って、この場合は塩ビ被覆の針金、コの字形の綴じ金具、ゴム紐等を固定用台紙に通して用いる他、透明粘着テープなどによって被固定体を固定させていた。
【０００４】
【発明が解決しようとする課題】
従来の台紙に切り込みを設けての固定方法は、被固定体の形状において必要固定箇所の例えば上下側、両横側等が該固定箇所のサイズより大きい時、該固定箇所への誘導が不可能であった。従って、この場合においては切り込みによる固定方法を用いる事ができないという課題があった。
【０００５】
又、塩ビ被覆の針金、その他の手段によっての台紙上の固定方法は、供給する商品の美観を損ない、物品固定の際の作業に余分な手間がかかり、製造コストも高くつく等の課題があった。
【０００６】
本発明は、上記の課題を解決するためになされたもので、被固定体の形状の制約を受けずに、必要固定箇所を極めて簡単、迅速、適確に固定できるようにしたものであり、すっきり美しく固定箇所を収めることによって、供給商品の見栄えをよくし、しかも安価に得ることを目的とする。
【課題を解決するための手段】
【０００７】
請求項１記載の発明に係る物品固定用台紙は、可撓性を有し、かつ適当な厚みを備えた素材シートより成り、適宜な間隔、かつ適宜な長さを以って、直線、曲線、又はそれらの組み合わせによる二箇所の切り込みによって形成される固定帯を設け、固定帯を形成するそれぞれ二箇所の切り込みの先端の一方に連接する誘導溝を直線、曲線、又はそれらの組み合わせによる適宜な長さの切り込みによって形成したものである。
【０００８】
【発明の実施の形態】
以下、実施の一形態について説明する。
実施の形態１．
図１、４、５、６、７、及び９から１８図の各図に示すように、可撓性を有し、かつ適当な厚みを備えた素材シートより成り、適宜な間隔、かつ適宜な長さを以て、直線、曲線、又はそれらの組み合わせによる、二箇所の固定帯切り込み３によって形成される固定帯１を設け、固定帯１を形成するそれぞれ二箇所の固定帯切り込み３の先端の一方に連接する誘導溝２を直線、曲線、又はそれらの組み合わせによる、適宜な長さの切り込みによって形成する。以下、各図について順に説明する。
【０００９】
図１は、直線によって固定帯１を設け、曲線によって誘導溝２を設けたものである。図４は、直線によって固定帯１を設け、直線の組み合わせによって誘導溝２を設けたものである。図５は、直線によって固定帯１を設け、曲線と直線の組み合わせによって誘導溝２を設けたものである。図６は、曲線によって固定帯１を設け、直線によって誘導溝２を設けたものである。図７は、直線によって固定帯１を設け、直線の組み合わせによって誘導溝２を設けたものである。図９は、図７と同じにつき省略する。図１０は、図５と同じにつき省略する。図１１は、図１と同じにつき省略する。図１２は、曲線によって固定帯１を設け、曲線によって誘導溝２を設けたものである。図１３は、直線の組み合わせによって固定帯１を設け、曲線と直線の組み合わせによって誘導溝２を設けたものである。図１４は、曲線の組み合わせによって固定帯１を設け、直線によって誘導溝２を設けたものである。図１５は、曲線によって一方の固定帯切り込み３を形成し、直線によって他方の固定帯切り込み３を形成し、直線によって誘導溝２を設けたものである。図１６は、曲線と直線の組み合わせによって固定帯１を設け、曲線と直線の組み合わせによって誘導溝２を設けたものである。図１７は、直線によって固定帯１を設け、曲線の組み合わせに更に直線を組み合わせて誘導溝２を設けたものである。図１８は直線によって固定帯１を設け、直線の組み合わせによって誘導溝２を設けたものである。
【００１０】
図２は、被固定体４を示すものであり、同固定体を図１に示す固定用台紙６によって固定した場合の固定完了状態は、図３によって示される。
【００１１】
図１９に示すように、各切り込みの先端に連接した小孔を設けることによって、各切り込み先端箇所からの裂け目を防ぎ易くし、又、固定操作時において各切り込み線を広げ易くするなどの効果が得られる。
【００１２】
次に上記構成の物品固定用台紙の使用方法を説明する。被固定体４を親指、人差し指等によって摘み、他方の手の親指、人差し指等によって台紙を保持する。被固定体の先端方向を一方の誘導溝２に差し込む、台紙裏面側に挿入された部分の同固定体を同裏面側に位置する人差し指等によって、もう一方の誘導溝２の裏側から表側に向けて差し込む、表側に出た部分を一方の親指、人差し指で摘み、被固定体４の固定箇所５を固定帯１にセットし完了する。
【００１３】
そして、上述する操作は、次に述べるように簡単な操作で済む様になる。固定用台紙６の表側をやゝ凹状に撓ませる事によって、誘導溝２の切り込みが、連接する固定帯切り込み３と一体となって、両者の切り込み線を大きく開けるので、被固定体４を誘導溝２の二箇所目への差し込み誘導が、固定帯１の真下を経由してできるので、操作方法が一層簡略になり、上述の操作は一瞬に完了させられる。
【００１４】
実施の形態２．
図９から図１８に示すように、固定帯１を形成する二箇所の固定帯切り込み３の誘導溝２に連接する側の先端それぞれ二点を結ぶ延長上に、ほぼ沿う形で誘導溝２を設け、又は同延長上より固定帯１内側方向に、直線、曲線、又はそれらの組み合わせによる、適宜な長さの切り込みによって誘導溝２を形成する。
【００１５】
図８は固定帯１を形成する二箇所の固定帯切り込み３の誘導溝２に連接する側の先端７それぞれ二点を結ぶ延長線を示している。
【００１６】
上述するように、本実施の形態にあっては、上記延長線を基準に誘導溝の形成範囲を設けたものである。
【００１７】
上記実施例においては、被固定体４の形状における横幅、すなわち上記延長上に直交する側の幅が充分でない時、図１、４、５、６、７、の実施例に示されるように、誘導溝の一部が固定帯１の外側方向に形成されている事によって、同誘導溝切り込みの一部が被固定体４で覆われきれず、露出するので、見た目がすっきりせず、供給商品の美観を損なう虞が生ずる。
【００１８】
従って、被固定体の形状に左右されずに、固定商品の見栄えをよくするよう、誘導溝を形成する範囲を設けたものである。
【００１９】
図９から図１８に示す構成の固定用台紙６による被固定体の固定操作は、図１、４、５、６、７、及び９から１８図に示す実施の形態１の固定用台紙６と同じ仕方であるから重複説明は省略する。
【００２０】
【発明の効果】
以上のようにこの発明によれば、固定帯に連接する誘導溝の形成によって、もたらされる特異な効果によって、被固定帯の狭隘箇所が内側にあり、なおかつ同箇所の固定を必要とした時、なんら問題なく誘導することができるので、容易に固定が可能となる上、固定の安定性をも飛躍的に向上させることが出来た。このように、被固定体の形状による制約を受けないので、台紙に切り込みを以ってする固定手段としての適用範囲が大幅に拡大した。
【００２１】
固定用台紙に被固定体を固定した際の、同固定体によって覆われる位置に、誘導溝の切り込みを形成できるので、正面からは固定帯箇所のみが目に入り、すっきりとして、見た目が美しく、供給商品を引き立てる効果がある。又、保持性能に優れるが故に、薄手物品を複数枚まとめて固定する事も可能で、その際個々の物品を若干づつ、ずらすなどによりカラーバリエーションを演出し易く商品価値を一段と高める効果がある。
【００２２】
誘導溝切り込みと固定帯切り込みが、直交するように、連なって形成されているため、被固定体を固定させる操作において、両者の切り込み線が一体となって大きく空間を広げるので、素早く、簡単、適確にでき、作業能率を一段と向上させる事ができた。又、台紙の表側をやや凹状に撓ませると、上記切り込み線が更に開き、被固定体の誘導溝二箇所目への差し込み誘導が、固定帯の真下を経由して出来るなど、操作が一層簡略化され、一瞬に完了する程スピーディーに出来る。
【００２３】
固定帯箇所に固定された、被固定体の働きによって、誘導溝切り込み線を挟む両側付近の台紙が引き寄せられ、同切り込み線を挟んでの両側が、水平状を保つように作用するので、たとえ誘導溝の切り込みによる、切れ目の入った箇所ではあっても、被固定体を裏側で安定して支える機能を担う部分としての役割に、何等不都合な点はなく充分にその機能を果たしている。
【００２４】
固定帯形成の切り込みと、誘導溝形成の切り込みが繋がって一体化しており、かつ単純な形状であるので、低廉価格によって切り込み手段の裁断刃が取得出来、台紙上に物品の固定箇所を複数設ける事も容易である。又、製造方法もごく単純であり、低コストで多数枚の本発明品を得る事が出来るので、例えば量産が求められる販売促進用商品、その他の広範囲な用途が見込める。
【図面の簡単な説明】
【図１】本発明の実施の形態１を示す正面図である。
【図２】被固定体の一例を示す正面図である。
【図３】本発明の実施の形態１による、使用状態を示す正面図である。
【図４】本発明の実施の形態１を示す正面図である。
【図５】本発明の実施の形態１を示す正面図である。
【図６】本発明の実施の形態１を示す正面図である。
【図７】本発明の実施の形態１を示す正面図である。
【図８】固定帯形成切り込みの、誘導溝連接側先端を結んだ延長線を示す正面図である。
【図９】本発明の実施の形態１及び２を示す正面図である。
【図１０】本発明の実施の形態１及び２を示す正面図である。
【図１１】本発明の実施の形態１及び２を示す正面図である。
【図１２】本発明の実施の形態１及び２を示す正面図である。
【図１３】本発明の実施の形態１及び２を示す正面図である。
【図１４】本発明の実施の形態１及び２を示す正面図である。
【図１５】本発明の実施の形態１及び２を示す正面図である。
【図１６】本発明の実施の形態１及び２を示す正面図である。
【図１７】本発明の実施の形態１及び２を示す正面図である。
【図１８】本発明の実施の形態１及び２を示す正面図である。
【図１９】本発明の実施の形態１及び２による応用例を示す正面図である。
【図２０】従来の例を示す正面図である。
【符号の簡単な説明】
１…固定帯、２…誘導溝、３…固定帯切り込み、４…被固定体、５…被固定体狭隘箇所、６…固定用台紙、７…固定帯形成切り込みの誘導溝連接側先端、８…延長線、９…各切り込みの先端に連接した小孔。
【図１】
0004461292.tif 000002
【図２】
0004461292.tif 000003
【図３】
0004461292.tif 000004
【図４】
0004461292.tif 000005
【図５】
0004461292.tif 000006
【図６】
0004461292.tif 000007
【図７】
0004461292.tif 000008
【図８】
0004461292.tif 000009
【図９】
0004461292.tif 000010
【図１０】
0004461292.tif 000011
【図１１】
0004461292.tif 000012
【図１２】
0004461292.tif 000013
【図１３】
0004461292.tif 000014
【図１４】
0004461292.tif 000015
【図１５】
0004461292.tif 000016
【図１６】
0004461292.tif 000017
【図１７】
0004461292.tif 000018
【図１８】
0004461292.tif 000019
【図１９】
0004461292.tif 000020
【図２０】
0004461292.tif 000021